(57)【要約】【課題】ＩＦ折り返しにより回線障害の原因の切り分けを行い、回線障害の原因究明を容易にする無線通信装置および無線通信方法を提供する。【解決手段】自局側１０の受信系の復調器２４ａ、２４ｂの後段に同期切替器２７ａ、２７ｂを設け、この同期切替器２７ａ、２７ｂに送信系の変調器１３ａ、１３ｂによる変調前の主信号を遅延補償器２９ａ、２９ｂを介して入力し、この遅延補償器２９ａ、２９ｂの出力信号又は復調器２４ａ、２４ｂの出力信号を選択して出力する。【選択図】図１
2006270710.tif 000002
【特許請求の範囲】
【請求項１】
それぞれ変調器と送信器を含む送信系および受信器と復調器を含む受信系を備える自局側および対向局側により構成され、それぞれ前記受信系の前記復調器にて主信号と機器制御盤からの監視制御信号を多重する無線通信装置において、
前記自局側の受信系の前記復調器の後段に同期切替器を設け、前記送信系の前記変調器による変調前の主信号および前記受信系の前記復調器で復調された信号を選択して出力端へ出力することを特徴とする無線通信装置。
【請求項２】
前記同期切替器は、前記機器制御盤から同期切替制御信号により制御されることを特徴とする請求項１に記載の無線通信装置。
【請求項３】
前記送信系の変調器の前段と前記同期切替器との間に遅延補償器を設け、前記主信号の遅延時間差を補償することを特徴とする請求項１又は２に記載の無線通信装置。
【請求項４】
前記自局側および前記対向局側の前記受信系および前記送信系は、それぞれホットスタンバイ構成の現用回線および予備回線を含んでいることを特徴とする請求項１、２又は３に記載の無線通信装置。
【請求項５】
それぞれ変調器と送信器を含む送信系および受信器と復調器を含む受信系を備える自局側および対向局側間で、それぞれ前記受信系の前記復調器にて主信号と機器制御盤からの監視制御信号を多重して通信する無線通信方法において、
前記自局側の受信系の前記復調器の後段に設けられた同期切替器により、前記送信系の前記変調器による変調前の主信号および前記受信系の前記復調器で復調された信号を選択して出力端へ出力することを特徴とする無線通信方法。
【請求項６】
前記同期切替器は、前記機器制御盤から同期切替制御信号により制御されることを特徴とする請求項５に記載の無線通信方法。
【請求項７】
前記送信系の変調器の前段と前記同期切替器との間に遅延補償器により前記主信号の遅延時間差を補償することを特徴とする請求項５又は６に記載の無線通信方法。
【発明の詳細な説明】
【技術分野】
【０００１】
本発明は無線通信装置に関し、特にマイクロは通信回線の障害を切り分けする無線通信装置および方法に関する。
【背景技術】
【０００２】
多量のデータを高速伝送する１つの通信方式として、マイクロ波無線通信装置が広く普及している。ビル又は丘の上等にアンテナ（パラボラアンテナ）を設置し、これらのアンテナ間に障害物をなくし、マイクロ波を伝送したい情報で変調して送受信する。斯かるアンテナおよび無線送受信機を所定間隔で複数個設けることにより、遠距離間の無線通信も可能である。
【０００３】
しかし、斯かるマイクロ波無線通信にあっては、アンテナ間の無線通信回線に種々の原因で障害を生じる場合がある。無線回線品質を検証するために、原因切り分けとしてＩＦ（中間周波数）ループバック又はＩＦ折り返し制御を行う無線装置故障診断方法が開示されている（例えば、特許文献１参照。）。また、無線装置の送信電力を停止せざるを得ない障害以外の障害発生時に、対向局に障害情報を通知するためのループバック制御を行う無線通信システムが開示されている（例えば、特許文献２参照。）。
【０００４】
【特許文献１】特開２０００−３２４０８６号公報（第４頁、第１図）
【特許文献２】特開２００１−８６０６０号公報（第４頁、第２図）
【０００５】
図２は、従来の無線通信装置の構成を示すブロック図である。この無線通信装置は、現用系および予備系の２系統の冗長構成とされたホットスタンバイ方式の無線通信装置である。この無線通信装置は、自局側１０および対向局側３０より構成される。
【０００６】
自局側１０は、伝送したい入力信号（主信号）が入力される入力端１１、入力信号を分岐する分配器１２、現用回線の変調器１３ａおよび送信器１４ａ、予備回線の変調器１３ｂおよび送信器１４ｂ、切替器１５およびアンテナ１６よりなる送信系を含んでいる。また、対向局側３０の信号を受信するアンテナ２１、受信信号を分岐する分配器２２、現用回線の受信器２３ａおよび復調器２４ａ、予備回線の受信器２３ｂおよび復調器２４ｂ、切替器２５および出力端２６よりなる受信系を含んでいる。更に、受信系の復調器２４ａおよび２４ｂの出力は、機器制御盤２８を介して送信系の変調器１３ａおよび１３ｂに入力される。
【０００７】
一方、対向局側３０は、自局側１０からの送信信号を受信するアンテナ３１、受信信号を分岐する分配器３２、現用回線の受信器３３ａおよび復調器３４ａ、予備回線の受信器３３ｂおよび復調器３４ｂ、切替器３５および出力端３６よりなる受信系を含んでいる。また、送信信号が入力される入力端４１、分配器４２、現用回線の変調器４３ａ、切替器４４ａおよび送信器４５ａ、予備回線の変調器４３ｂ、切替器４４ｂおよび送信器４５ｂ、切替器４６およびアンテナ４７よりなる送信系を含んでいる。そして、現用回線の受信器３３ａおよび復調器３４ａ間と予備回線の受信器３３ｂおよび復調器３４ｂ間は、それぞれ切替器４４ａおよび４４ｂに接続されている。更に、復調器３４ａおよび３４ｂの出力を変調器４３ａおよび４３ｂに入力する機器制御盤４９を備えている。
【０００８】
図２に示す従来の無線通信装置において、自局側１０から対向局側３０に対してＩＦループバック制御を行う場合には、自局側１０の機器制御盤２８からＩＦループバック制御信号を主信号に多重して対向局側３０の機器制御盤４９に送信する。一方、対向局側３０ではＩＦループバック制御信号を機器制御盤４９が受信すると、機器制御盤４９は切替器４４ａおよび切替器４４ｂを切替えて受信した自局側１０からの信号を自局側へ折り返す。
【発明の開示】
【発明が解決しようとする課題】
【０００９】
このとき、対向局側３０の受信器３３ａおよび受信器３３ｂと、送信器４５ａおよび送信器４５ｂとで折り返すため、対向局側３０の機器制御盤４９からの監視制御信号を自局側１０に送信することができずに対向局側３０の監視制御ができない。斯かる課題のために、ホットスタンバイ構成では、対向局側３０からの監視制御信号を自局側１０で受信することができないので、障害発生時の原因切り分けとしてＩＦループバックを行う場合には、対向局側３０の機器状態を収集することができず、従って効果的な故障診断が困難であるという課題があった。
【００１０】
本発明は、従来技術の上述した課題に鑑みなされたものであり、斯かる課題を克服又は軽減する無線通信装置および方法を提供することを目的とする。
【課題を解決するための手段】
【００１１】
前述の課題を解決するため、本発明による無線通信装置および方法は次のような特徴的な構成を採用している。
【００１２】
（１）それぞれ変調器と送信器を含む送信系および受信器と復調器を含む受信系を備える自局側および対向局側により構成され、それぞれ前記受信系の前記復調器にて主信号と機器制御盤からの監視制御信号を多重する無線通信装置において、
前記自局側の受信系の前記復調器の後段に同期切替器を設け、前記送信系の前記変調器による変調前の主信号および前記受信系の前記復調器で復調された信号を選択して出力端へ出力する無線通信装置。
（２）前記同期切替器は、前記機器制御盤から同期切替制御信号により制御される上記（１）の無線通信装置。
（３）前記送信系の変調器の前段と前記同期切替器との間に遅延補償器を設け、前記主信号の遅延時間差を補償する上記（１）又は（２）の無線通信装置。
（７）前記自局側および前記対向局側の前記受信系および前記送信系は、それぞれホットスタンバイ構成の現用回線および予備回線を含んでいる上記（１）、（２）又は（３）の無線通信装置。
（５）それぞれ変調器と送信器を含む送信系および受信器と復調器を含む受信系を備える自局側および対向局側間で、それぞれ前記受信系の前記復調器にて主信号と機器制御盤からの監視制御信号を多重して通信する無線通信方法において、
前記自局側の受信系の前記復調器の後段に設けられた同期切替器により、前記送信系の前記変調器による変調前の主信号および前記受信系の前記復調器で復調された信号を選択して出力端へ出力する無線通信方法。
（６）前記同期切替器は、前記機器制御盤から同期切替制御信号により制御される上記（５）の無線通信方法。
（７）前記送信系の変調器の前段と前記同期切替器との間に遅延補償器により前記主信号の遅延時間差を補償する上記（５）又は（６）の無線通信方法。
【発明の効果】
【００１３】
本発明の無線通信装置によると、次の如き実用上の顕著な効果が得られる。ＩＦループバック制御中に対向局側にてＩＦループバック制御を間欠的に行うことにより、ＩＦループバック時においても対向局側からの警報を受けることが可能である。また、ＩＦループバック制御を行う場合に、対向局側にてＩＦループバック制御を間欠的に行い且つ一時的にＩＦループバックＯＦＦの間に自局側での主信号を折り返し、ＩＦループバックした信号と時局側で折り返した信号を同期切替することにより、ＩＦループバック中の回線品質の測定を継続して行える。更に、予備回線のない（現用回線のみの）無線通信装置にも適用可能である。
【実施例】
【００１４】
以下、本発明による無線通信装置の好適実施例の構成および動作を、添付図面を参照して詳細に説明する。
【００１５】
図1は、本発明による無線通信装置の好適実施例の構成を示すブロック図である。この無線通信装置は、ホットスタンバイ構成のマイクロ波無線通信装置に適用した実施例である。尚、説明の便宜上、上述した従来技術の構成要素に対応する構成要素には同様の参照符号を使用することとする。
【００１６】
先ず、無線通信装置の構成について説明する。自局側１０の送信系は、入力端１１、分配器１２、現用回線の変調器１３ａおよび送信器１４ａ、予備回線の変調器１３ｂおよび送信器１４ｂ、切替器１５およびアンテナ１６により構成される。一方、受信系は、アンテナ２１、分配器２２、現用回線の受信器２３ａ、復調器２４ａおよび同期切替器２７ａ、予備回線の受信器２３ｂ、復調器２４ｂおよび同期切替器２７ｂ、切替器２５および出力端２６により構成される。更に、受信系の復調器２４ａおよび２４ｂは、機器制御盤２８を介して送信系の変調器１３ａおよび１３ｂに接続されている。また、分配器１２の両出力は、それぞれ遅延補償器２９ａおよび２９ｂを介して同期切替器２７ａおよび２７ｂに接続されている。
【００１７】
図１に示す無線通信装置において、入力端１１から入力された主信号（即ち、送信したい入力信号）は、分配器１２にて現用回線および予備回線に分岐される。現用回線に分岐された主信号は、更に遅延補償器２９ａおよび変調器１３ａに分岐される。同様に、予備回線に分岐された主信号は、遅延補償器２９ｂおよび変調器１３ｂに分岐される。
【００１８】
変調器１３ａでは、主信号に機器制御盤２８から出力される監視制御信号を多重し、変調波として送信器１４ａに出力される。予備回線においても同様に、変調波として送信器１４ｂに出力される。送信器１４ａおよび送信器１４ｂでは、それぞれ入力された変調波が増幅器（図示せず）で増幅されて切替器１５に出力される。切替器１５は、現用回線又は予備回線の何れか一方が選択された後に、アンテナ１６に出力され、そこから無線信号として対向局側３０に送信される。
【００１９】
次に、対向局側３０に送信された無線信号は、受信系のアンテナ３１で受け取られた後、分配器３２で現用回線と予備回線に分岐され、それぞれ受信器３３ａおよび受信器３３ｂに出力される。受信器３３ａに入力された現用回線の受信信号は、増幅器（図示せず）で増幅されて、復調器３４ａおよび切替器４４ａ、４４ｂに出力される。同様に、受信器３３ｂに入力された予備回線の受信信号も増幅されて、復調器３４ｂおよび切替器４４ａ、４４ｂに出力される。復調器３４ａおよび復調器３４ｂに入力された信号は、復調されて主信号および監視制御信号に分離される。そして、監視制御信号は、機器制御盤４９に出力される。
【００２０】
機器制御盤４９からは対向局側３０自体の監視制御信号が変調器４３ａおよび変調器４３ｂに出力される。変調器４３ａでは、機器制御盤４９から出力された監視制御信号および入力端４１から入力された主信号が多重され、変調波として切替器４４ａに出力される。同様に、変調器４３ｂでは、機器制御盤４９から出力された監視制御信号および入力端４１から入力された主信号が多重され、変調波として切替器４４ｂに出力される。切替器４４ａでは、機器制御盤４９からＩＦループバック制御信号を受信すると、間欠的にＯＮ／ＯＦＦ切替する。
【００２１】
切替器４４ａがＯＮのときは、受信器３３ａ又は受信器３３ｂうち切替器３５で選択されている側の信号を選択する。一方、ＯＦＦのときは、変調器４３ａから出力された変調波を選択する。同様に、切替器４４ｂでは、機器制御盤４９からＩＦループバック制御信号を受信すると間欠的にＯＮ／ＯＦＦ切替する。切替器４４ｂがＯＮのときは、受信器３３ａ又は受信器３３ｂのうち切替器３５で選択されている側の信号を選択する。一方、ＯＦＦのときは、変調器４３ｂから出力された変調波を選択する。切替器４４ａで選択された信号は、送信器４５ａへ出力され、この送信器４５ａで増幅されて切替器４６に出力される。同様に、切替器４４ｂで選択された信号も、送信器４５ｂに出力され、この送信器４５ｂで増幅されて切替器４６に送信される。
【００２２】
切替器４６では、現用回線又は予備回線の何れか一方が選択されてアンテナ４７から無線信号として自局側１０へ送信される。送信された無線信号は、自局側１０のアンテナ２１で受信され、分配器２２で受信器２３ａと受信器２３ｂに分岐される。受信器２３ａに分岐された信号は、増幅されて復調器２４ａに出力される。同様に、受信器２３ｂに分岐された信号は、増幅されて復調器２４ｂに出力される。復調器２４ａへの入力信号は、復調された後に主信号と監視制御信号に分離される。そして、主信号は、同期切替器２７ａに出力され、監視制御信号は、機器制御盤２８に出力される。同様に、復調器２４ｂへの入力信号も、復調された後に主信号と監視制御信号に分離される。そして、主信号は、同期切替器２７ｂに出力され、監視制御信号は、機器制御盤２８に出力される。
【００２３】
一方、分配器１２から分岐して遅延補償器２９ａに入力された信号は、ＩＦループバック制御時に対向局側３０の切替器４４ａおよび切替器４４ｂを経由した信号との時間的差分を考慮して遅延補償された上で、同期切替器２７ａおよび同期切替器２７ｂに入力される。同様に、遅延補償器２９ｂに入力された信号も、遅延補償された上で同期切替器２７ａおよび同期切替器２７ｂに入力される。同期切替器２７ａでは、機器制御盤２８から同期切替制御信号を受信すると、切替器４４ａと切替器４４ｂのＯＮ／ＯＦＦ制御動作と逆の切替制御となるように同期をとって動作する。そして、切替がＯＮの場合には、遅延補償器２９ａおよび遅延補償器２９ｂからの入力信号のうち切替器１５で選択している回線の信号を入力して切替器２５に出力する。一方、切替がＯＦＦの場合には、復調器２４ａから入力した信号を切替器２５に出力する。
【００２４】
同様に、同期切替器２７ｂでも、機器制御盤２８から同期切替制御信号を受信すると、切替器４４ａと切替器４４ｂのＯＮ／ＯＦＦ制御動作と逆の切替制御となるように同期をとって動作する。そして、切替がＯＮの場合には、遅延補償器２９ａと遅延補償器２９ｂからの入力信号のうち切替器１５で選択している回線の信号を入力して切替器２５に出力する。一方、切替がＯＦＦの場合には、復調器２４ｂから入力した信号を切替器２５に出力する。同期切替器２７ａおよび同期切替器２７ｂから切替器２５に出力された信号は、何れか一方が選択された後に出力端２６へ出力される。
【００２５】
次に、図１に示す無線通信装置の動作を詳細に説明する。図1の無線通信装置は、ホットスタンバイ構成のマイクロ波無線通信装置である。上半分が自局側１０および下半分が対向局側３０である。この実施例では、自局側１０の監視制御盤２８からＩＦループバック制御信号を主信号に多重して機器制御盤４９に送信する。そして、対向局側３０にて切替器４４ａおよび切替器４４ｂを切替えて、受信器３３ａおよび受信器３３ｂからの出力信号を送信器４５ａおよび送信器４５ｂに折り返すことによりＩＦループバックを制御する。
【００２６】
いま、対向局側３０でＩＦループバック切替がＯＮのときは、自局側１０において同期切替器２７ａでは復調器２４ａからの信号を選択して切替器２５へ出力する。同期切替器２７ｂでは、復調器２４ｂからの信号を選択し切替器２５へ出力する。対向局側３０では、切替器４４ａおよび切替器４４ｂをＯＮに切替えて受信器３３ａ又は受信器３３ｂで受信した信号を送信器４５ａ又は送信器４５ｂに折り返すことによりＩＦループバック制御を行う。
【００２７】
ＩＦループバック中は、切替器４４ａおよび切替器４４ｂは継続的に切替えられるので、変調器４３ａおよび変調器４３ｂから送信器４５ａおよび送信器４５ｂへの信号が出力されなくなる。そのために、自局側１０は、対向局側３０の監視制御信号を機器制御盤４９から受信できなくなる。
【００２８】
次に、対向局側３０においてＩＦループバック切替がＯＦＦのときには、自局側１０において遅延補償器２９ａおよび遅延補償器２９ｂから同期切替器２７ａおよび同期切替器２７ｂを経て切替器２５へ折り返す構成を用いて折り返しを行う。遅延補償器２９ａおよび遅延補償器２９ｂは、ＩＦループバック切替えがＯＮのときに、対向局側３０の切替器４４ａと切替器４４ｂを経由した主信号と分配器１２の出力信号を自局側１０で折り返した主信号との遅延時間を補償する。
【００２９】
一方、対向局側３０では、切替器４４ａをＯＦＦに切替えて、変調器４３ａからの信号を送信器４５ａへ出力する。同様に、切替器４４ｂにおいてもＯＦＦに切替えて、変調器４３ｂからの信号を送信器４５ｂへ出力する。送信器４５ａおよび送信器４５ｂでは、入力信号が増幅されて切替器４６に出力される。切替器４６では、現用回線又は予備回線の何れか一方が選択されてアンテナ４７から無線信号として自局側１０へ送信される。ＩＦループバックを行っていないときには、変調器４３ａから送信器４５ａへ信号を出力するように切替器４４ａを切替える。同様に、変調器４３ｂから送信器４５ｂへ信号を出力するように切替器４４ｂを切替えるので、自局側１０は対向局側３０の監視制御信号を機器制御盤４９から受信できるようになる。
【００３０】
ここで、ＩＦループバックＯＮからＯＦＦ又はＯＦＦからＯＮへの切替時には、対向局側３０の切替器４４ａおよび切替器４４ｂと自局側１０の同期切替器２７ａおよび同期切替器２７ｂは同期して切り替え且つ自局側１０の同期切替器２７ａおよび２７ｂは、対向局側３０からループバックした主信号と自局側１０で折り返した主信号を無瞬断で切替える。ＩＦループバックＯＮおよびＯＦＦを繰り返し間欠的に行う場合には、ＩＦループバックＯＮの期間には、対向局側３０で主信号をＩＦループバックすることを可能とする。ＩＦループバックＯＦＦの期間には、対向局側３０の監視制御信号を受信することを可能とする。何れの場合にも、入力端１１に入力された信号を出力端２６に折り返すことを可能にする。
【００３１】
このＩＦループバックＯＮとＯＦＦの継続時間の比率は、ＩＦループバックを行って回線品質を監視する時間と監視制御信号を伝送する時間により予め調整する。例えば、ＩＦループバックＯＮとＯＦＦの継続時間の比率が５０％の場合には、実際に無線回線を含めた回線品質を測定可能な時間は半分となり、また監視制御信号を伝送可能な時間も半分となる。このために、通常のＩＦループバックでの測定と比較して２倍の時間を見込む必要がある。
【００３２】
以上から障害発生時の原因切り分けのために、ＢＥＲ測定器等を入出力端に接続することにより、回線品質検査としてＢＥＲを継続的に測定することができる。尚、当然ながら、ここで説明している自局側１０および対向局側３０の持つ機能については、互いに自局側１０も対向局側３０の機能を、対向局側３０も自局側１０の機能を有するものとする。
【００３３】
以上、本発明による無線通信装置および方法の好適実施例の構成および動作を詳述した。しかし、斯かる実施例は、本発明の単なる例示に過ぎず、何ら本発明を限定するものではないことに留意されたい。本発明の要旨および精神を逸脱することなく、特定用途に応じて種々の変形変更が可能であること、当業者には容易に理解できよう。例えば、上述した好適実施例では、ホットスタンバイ構成のマイクロ波無線通信システムであったが、予備回線のない現用回線のみの無線通信装置にも、本発明は適用可能である。
【図面の簡単な説明】
【００３４】
【図１】本発明による無線通信装置の好適実施例の構成を示すブロック図である。
【図２】従来の無線通信装置の構成を示すブロック図である。
【符号の説明】
【００３５】
１０            自局側
１１、４１      入力端
１２、３２      分配器
１３ａ、１３ｂ、４３ａ、４３ｂ  変調器
１４ａ、１４ｂ、４５ａ、４５ｂ  送信器
１５、２５、３５、４６  切替器
１６、２１、３１、４７  アンテナ
２４ａ、２４ｂ、３４ａ、３４ｂ  復調器
２６、３６      出力端
２７ａ、２７ｂ  同期切替器
２８、４９      機器制御盤
２９ａ、２９ｂ  遅延補償器
３０            対向局側
【図１】
2006270710.tif 000003
【図２】
2006270710.tif 000004